(57)【要約】【課題】接続配線のねじれや断線等を起こすことなく、回転体に設けられた表示情報を簡単な構造により照明して表示することができる遊技機の回転表示装置。【解決手段】回転軸４８を介して回転体４６を軸線Ｈ回りに回転可能に支持する回転体支持部材３６の軸４０を筒状とし、その軸４０は、固定歯車２４に設けた筒状の固定軸３０により軸線Ｖ回りに回転可能に支持する。回転体４６の内側には複数のＬＥＤ６４が実装されたＬＥＤ基板６６を設け、ＬＥＤ基板６６へ接続される照明電源用の配線６８については、固定軸３０及び軸４０を貫通させて回転体４６の内側へ引き込む。【選択図】　　　　図１
2004129977.tif 000002
【特許請求の範囲】
【請求項１】
表示情報が設けられた回転体と、
前記回転体を第１回転軸線回りに回転可能に支持する第１支持手段と、
前記第１支持手段の被支持部を前記第１回転軸線と交差する第２回転軸線回りに回転可能に支持する支持部を備えた第２支持手段と、
前記回転体の内側に設けられ、回転体を内側から照明する照明手段と、
前記被支持部及び前記支持部を貫通して前記回転体の内側へ引き込まれ、前記照明手段と電気的に接続された接続配線と、
を有することを特徴とする遊技機の回転表示装置。
【請求項２】
前記照明手段が取り付けられる取付部と、前記被支持部及び前記支持部を貫通して前記取付部を支持するとともに内部に前記接続配線が挿通される筒部と、を備えた照明手段取付部材を更に有することを特徴とする請求項１記載の遊技機の回転表示装置。
【発明の詳細な説明】
【０００１】
【発明の属する技術分野】
本発明は遊技機の回転表示装置に係り、詳しくは、抽選図柄等の表示情報が設けられた回転体に照明による演出効果を加えた遊技機の回転表示装置に関する。
【０００２】
【従来の技術】
パチンコ機やパチスロ機等の遊技機では、抽選時の図柄や各種情報を表示するため、あるいは視覚的な演出効果を高めるためなどに、ドラムや球体等の回転体を用いる回転式の表示装置を搭載した機種がある。
【０００３】
この回転式の表示装置（以下、「回転表示装置」という）には、回転体に照明による演出を加えるため、発光体を回転体内に設けて内側から照明するものがある。その場合の発光体への電力供給は、回転体を軸支する中空回転軸内へ外部から電力供給用配線を挿通させ、回転体内部に設けた点灯用回路基板に配線接続している（例えば、特許文献１参照）。
【０００４】
また、パチンコ機に搭載される変動入賞装置等においても、装飾性を高める目的で、盤面側開口部の左右側部に配設される羽根状の可動部材にＬＥＤ等を備えた照明手段を組み込み、その照明手段へ接続する電源供給用配線を、中空とした可動部材支軸内へ通して制御装置側と接続しているものがある（例えば、特許文献２参照）。
【０００５】
【特許文献１】
特許第２８８３８５２号　（第８頁、第２１図）
【特許文献２】
特開平６−３０４３１１号公報　（第２〜３頁、第１図、第３図、第４図）
【０００６】
【発明が解決しようとする課題】
しかしながら、上述した特許文献１等に示される従来例では、回転体の回転に伴い接続配線がねじれたり絡み合うことになり、特許文献２等に示される従来例の場合は、可動部材に組み込まれた照明手段が可動部材とともに揺動するため、接続配線がねじれて断線したり他の部品に干渉して動作障害を起こす恐れがある。また、それら接続配線のねじれや断線トラブルを回避するためにスリップリング等を用いることも可能であるが、その場合は配線構造が複雑となる。
【０００７】
本発明は上記事実を考慮して、接続配線のねじれや断線等を起こすことなく、回転体に設けられた表示情報を簡単な構造により照明して表示することができる遊技機の回転表示装置を提供することを課題とする。
【０００８】
【課題を解決するための手段】
上記目的を達成するために請求項１に記載の発明は、表示情報が設けられた回転体と、前記回転体を第１回転軸線回りに回転可能に支持する第１支持手段と、前記第１支持手段の被支持部を前記第１回転軸線と交差する第２回転軸線回りに回転可能に支持する支持部を備えた第２支持手段と、前記回転体の内側に設けられ、回転体を内側から照明する照明手段と、前記被支持部及び前記支持部を貫通して前記回転体の内側へ引き込まれ、前記照明手段と電気的に接続された接続配線と、を有することを特徴としている。
【０００９】
請求項１に記載の発明では、図柄等の表示情報が設けられた回転体は、第１支持手段に支持されて第１回転軸線回りに回転可能とされ、且つ、第１支持手段が第２支持手段に支持され第１回転軸線と交差する第２回転軸線回りに回転可能とされることで、回転体自体も第１回転軸線と交差する第２回転軸線回りに回転可能とされる。この回転体の回転動作は、回転体の前方にいる遊技者等により観察され、表示情報は、例えば、回転体の前側に位置したときに視認される。
【００１０】
また、回転体の内側には照明手段が固定的に設けられ、照明手段へ電気的に接続される接続配線は、第１支持手段の被支持部及びその被支持部を支持する第２支持手段の支持部を貫通して回転体の内側へ引き込まれる。照明手段は、この接続配線を介し電力が供給されて発光し、これにより、回転体の内側が照明され、例えば、回転体の光透過性部位等を透過した光により表示情報が照明されて透過光やシルエットにより前方へ表示される。
【００１１】
また、接続配線は、第１支持手段の被支持部及び第２支持手段の支持部を貫通して回転体の内側へ引き込まれているため、回転体が第１及び第２回転軸線回りに回転しても、その回転動作に伴いねじれたり絡まったりすることはない。これにより、接続配線のねじれや断線等を起こすことなく、回転体に設けられた表示情報を簡単な構造により照明して表示することができる。
【００１２】
請求項２に記載の発明は、請求項１記載の遊技機の回転表示装置において、前記照明手段が取り付けられる取付部と、前記被支持部及び前記支持部を貫通して前記取付部を支持するとともに内部に前記接続配線が挿通される筒部と、を備えた照明手段取付部材を更に有することを特徴としている。
【００１３】
請求項２に記載の発明では、照明手段を照明手段取付部材の取付部に取り付けて回転体の内側に配置する。接続配線については、取付部を支持する筒部内を挿通させることで、第１支持手段の被支持部及び第２支持手段の支持部を貫通させ回転体の内側に引き込んで照明手段と接続する。これにより、例えば、第１支持手段が第１回転軸線回りに回転するのに伴い被支持部が回転する場合は、回転する被支持部との摩擦から接続配線を保護することができる。
【００１４】
【発明の実施の形態】
以下、図面を参照して本発明の実施の形態を説明する。なお、以下の実施形態では、パチンコ機の遊技盤に搭載されて遊技に関する図柄を表示する球体式の回転表示装置を例に説明する。
【００１５】
図１には、本発明の実施形態に係る回転表示装置を上方から見た水平断面図が示されており、図２（Ａ）、（Ｂ）には、回転表示装置の表示部分を遊技者側（図１の矢印Ｓ方向）から見た正面図が示されている。
【００１６】
図１に示されるように、回転表示装置１０は、パチンコ機本体へセットされる遊技盤Ｐの後面に、装置本体を構成するケース１２が取り付けられている（取付構造は図示省略）。ケース１２は、前面及び後面が開口された箱状とされており、正面視矩形とされる前面側の開口１３は、遊技盤Ｐに形成された貫通孔ＰＨと対応する位置に配置されている。また、ケース１２の後部には、前後方向に所定の間隔で配設された２枚のベース板１４、１５が固着されており、後面側の開口１６は、後面に着脱可能に取り付けられた閉塞板１８により塞がれている。
【００１７】
ベース板１４、１５の中央部には、貫通孔２０、２２がそれぞれ形成されている。これらの貫通孔２０、２２は、ケース１２の中心を通り遊技盤Ｐと略直交する水平な軸線Ｖ上に同軸的に配置されている。また、ベース板１４、１５の前面側には、固定歯車２４及び照明取付基台２６が配置されている。
【００１８】
固定歯車２４は、正面視が円形で球面状とされた歯車本体２８を備えており、歯車本体２８後面の軸心部には筒状の固定軸３０が突設されている。この固定軸３０の後端部がベース板１４の貫通孔２０に嵌め入れられ固着されて、固定歯車２４はベース板１４に取り付けられている。
【００１９】
また、照明取付基台２６は基台本体３２を備えている。この基台本体３２も正面視円形の球面状とされており、基台本体３２後面の軸心部には筒状の固定軸３４が突設されている。この固定軸３４が固定軸３０の空洞部に挿通され固定軸３４の後端部がベース板１５の貫通孔２２に嵌め入れられ固着されて、照明取付基台２６は、基台本体３２を歯車本体２８の前方に配置した状態でベース板１５に取り付けられている。これにより、固定歯車２４の固定軸３０と照明取付基台２６の固定軸３４とは軸線Ｖ上に同軸的に配置される。また、図示のように、歯車本体２８と基台本体３２との間、及び、固定軸３０と固定軸３４との間には、それぞれ隙間が形成されている。
【００２０】
この固定歯車２４と照明取付基台２６との間には、回転体支持部材３６が配置されている。回転体支持部材３６は、平面視円弧形の支持アーム３８を備えている。支持アーム３８の後端部には筒状の軸４０が突設されており、軸４０の後端部には平歯車４２が固着されている。この支持アーム３８が歯車本体２８と基台本体３２との間に配置され、軸４０が固定軸３０と固定軸３４との間に回転可能に挿通されることにより、回転体支持部材３６は、ベース板１４に取り付けられた固定歯車２４に支持されて軸線Ｖ回りに回転可能とされている。
【００２１】
一方、支持アーム３８の先端側は、一端部３８Ａがケース１２の開口１３から前方へ突出され、他端部３８Ｂは歯車本体２８と基台本体３２の間から外側へ少し突出されて一端部３８Ａと対向している。この一端部３８Ａ及び他端部３８Ｂには一対の貫通孔４４Ａ、４４Ｂが形成されており、貫通孔４４Ａ、４４Ｂには回転体（回転表示器）４６の回転軸４８が回転可能に挿通されている。
【００２２】
回転体４６は、透明又は乳白色等の半透明の光透過性を有する樹脂材料により、中空球体の一部が輪切りされ除去されたような略球状に形成されている。この回転体４６の内周面４６Ａに回転軸４８の一端部が固着されており、回転軸４８は、回転体４６に設けられた円形断面の開口５０と同軸的に配置されて他端部側が回転体４６の外部へ突出されている。そして上述したように、回転軸４８が支持アーム３８に形成された貫通孔４４Ａ、４４Ｂに回転可能に挿通されることで、回転体４６は回転体支持部材３６の支持アーム３８に支持されている。また、回転軸４８の他端部には、球面状とされた歯車５２が固着されており、歯車５２は固定歯車２４の歯車本体２８に噛み合っている。これにより、回転体４６は、遊技盤Ｐに対して傾斜されるとともに軸線Ｖと回転体４６の仮想中心Ｏで交差した水平な軸線Ｈ（回転軸４８の軸線）回りに回転可能とされ（図１の矢印Ｂ方向）、さらに、回転体支持部材３６が回転するのに伴い軸線Ｖ回りにも回転可能とされる（図１の矢印Ａ方向）。
【００２３】
また、回転体４６の外周面４６Ｂには、複数の図柄５４が印刷又はラベル等によって設けられており、それらの図柄５４は、例えば、軸線Ｈ回りの周方向に所定の間隔で配列されている。図２には、その中の一つの図柄５４（数字の「７」）が示されている。また、回転体４６は、開口５０を含む後側がケース１２内に収容され、図柄５４の表示側となる前側部分が、ケース１２の開口１３及び遊技盤Ｐの貫通孔ＰＨを介して盤面側に露出されている。
【００２４】
ベース板１５の後面には、ステッピングモータ５６が取り付けられている。ステッピングモータ５６のモータ軸５８は、軸線Ｖと平行な向きとされてベース板１５を貫通し前方へ突出されている。このモータ軸５８の先端部には駆動歯車６０が固着されており、駆動歯車６０は回転体支持部材３６の平歯車４２に噛み合っている。また、ステッピングモータ５６は、パチンコ機本体に搭載された表示装置制御基板のモータ制御回路に図示しない配線で接続されており、表示装置制御基板からの制御信号によって回転駆動及び停止されるようになっている。
【００２５】
また、照明取付基台２６に設けられた基台本体３２の前面には複数のボス６２が突設されており、ボス６２の先端には、照明用の光源となる複数のＬＥＤ６４を実装したＬＥＤ基板６６が取り付けられている。ＬＥＤ基板６６は、複数のＬＥＤ６４を前方へ向けて軸線Ｖ上に配設されるとともに、回転体４６の内側に配置されている。
【００２６】
なお、この「回転体の内側」とは、略球状に形成された回転体４６の内部に加え、回転体４６の外部ではあるが内周面４６Ａの延長領域（図１の二点鎖線Ｃで示される円周内）を含む範囲をいう。したがって、本実施の形態では、前述した歯車本体２８、基台本体３２、回転体支持部材３６、回転軸４８、及び歯車５２が、全て回転体４６の内側に配置されている。さらに、支持アーム３８の長端側となる一端部３８Ａ側と、歯車本体２８、基台本体３２、及びＬＥＤ基板６６の一部とは、回転体４６の開口５０を介して回転体４６の内部に入り込んでいる。
【００２７】
ＬＥＤ基板６６には、各ＬＥＤ６４に電力を供給するための配線６８が電気的に接続されている。この配線６８は、基台本体３２を支える固定軸３４の空洞部を通されて回転体４６の内側へ引き込まれている。また、固定軸３４の基端部側から外部へ引き出された配線６８の引き出し端にはコネクター７０が繋がれており、コネクター７０は中継基板７２に電気的に接続されている。中継基板７２は、閉塞板１８の前面に突設された一対のリブ７４に取り付けられ、図示しない配線で前述した表示装置制御基板の照明電源回路に接続されている。これにより、ＬＥＤ基板６６の各ＬＥＤ６４は、中継基板７２を介し表示装置制御基板から電力が供給されて発光するようになっている。
【００２８】
なお、図１では、図を見やすくするために、固定歯車２４と回転体支持部材３６との間、回転体支持部材３６と照明取付基台２６との間にそれぞれ隙間を設けているが、実際には隙間はなくガタのない状態で接している。また、固定歯車２４の固定軸３０と回転体支持部材３６の軸４０との間などには、回転体支持部材３６が円滑に回転できるようにするため、ベアリング等の軸受け部材を設けるようにしてもよい。
【００２９】
次に、本実施形態の作用について説明する。
【００３０】
まず、回転表示装置１０に装備された回転体４６の動作について説明する。表示装置制御基板からの制御信号によりステッピングモータ５６が駆動されてモータ軸５８とともに駆動歯車６０が回転すると、駆動歯車６０に噛合された平歯車４２が回転する。すると、回転体支持部材３６が軸線Ｖ回りに回転し、回転体支持部材３６に支持された回転体４６も回転体支持部材３６とともに軸線Ｖ回り（図１の矢印Ａ方向）に回転する。このときの回転体４６を正面から見ると、図２（Ａ）に示されるように、図柄５４が時計又は反時計回転方向に回転して見える。
【００３１】
また、回転体支持部材３６が回転すると、固定歯車２４の歯車本体２８に噛合された歯車５２は歯車本体２８の外周に沿って回転移動（公転）しながら軸線Ｈ回りに回転（自転）する。これにより、回転軸４８を介して回転体４６は軸線Ｈ回り（図１の矢印Ｂ方向）に回転する。これを正面から見ると、図２（Ｂ）に示されるように、図柄５４は上方向又は下方向に湾曲スクロールして見える。したがって、図柄５４は、その回転動作と湾曲スクロール動作とが組み合わせられた複雑な動きをする。
【００３２】
このように、本実施形態の回転表示装置１０では、回転体４６が回転体支持部材３６に軸支されて軸線Ｈ回りに回転可能とされ、さらに回転体支持部材３６は軸４０が固定歯車２４の固定軸３０に軸支されて軸線Ｈと交差する軸線Ｖ回りに回転可能とされているため、それら２つの軸線回りの回転が組み合わせられた複雑な回転動作をし、それに伴う図柄５４の複数な動きが回転体４６の前側を見る遊技者に観察される。そして、複数の図柄５４のうち、回転体４６の前側で停止された所定の図柄５４が遊技者に視認される。これにより、単純に１つの軸線回りに回転する回転体等に比べて表示態様の視覚的な演出効果が高められる。さらに、直交する２つの軸線回りに回転する回転体とも異なった表示態様となるため、趣向性等も高められる。
【００３３】
また、照明については、表示装置制御基板からの電力供給によりＬＥＤ基板６６の各ＬＥＤ６４が発光すると、光が前方へ放射状に照射されて回転体４６の内側が照明される。さらに、回転体４６を透過した光により図柄５４が照明されて前方へ表示される。なお、この図柄５４の表示については、照明されていない場合でも外光により視認することができる。
【００３４】
また、照明電源用の配線６８については、照明取付基台２６の固定軸３４を挿通されることにより、回転体支持部材３６の被支持部となる軸４０及び固定歯車２４の支持部となる固定軸３０を貫通されて回転体４６の内側へ引き込まれている。これにより、回転体４６が軸線Ｈ及び軸線Ｖ回りに回転しても、その回転動作によって配線６８がねじれたり絡まったりすることはない。
【００３５】
以上説明したように、本実施の形態に係る回転表示装置１０では、回転体４６の回転動作に伴う配線６８のねじれや断線等を起こすことなく、回転体４６に設けられた図柄５４を簡単な構造により照明して表示することができる。
【００３６】
また、本実施の形態では、ＬＥＤ基板６６を照明取付基台２６の基台本体３２に取り付けて回転体４６の内側に配置するとともに、配線６８は、基台本体３２を支持する筒状の固定軸３４内を挿通させて回転体４６の内側に引き込んでいる。これにより、回転体支持部材３６が軸線Ｖ回りに回転するのに伴い軸４０が回転しても、配線６８を軸４０との摩擦から保護することができる。
【００３７】
以上、本発明を上述した特定の実施形態により詳細に説明したが、本発明はそれに限定されるものではなく、本発明の範囲内にて他の種々の実施形態が可能である。
【００３８】
例えば、上述した実施の形態では、照明手段の光源にＬＥＤを用いたが、これはランプ等の他の光源に置き換えてもよい。さらに、照明手段と接続配線とを含んで構成される光ファイバ等を用いることも可能である。
【００３９】
また、本発明は、パチンコ機に限らずパチスロ機等の他の遊技機に搭載される回転表示装置にも適用することがきる。
【００４０】
【発明の効果】
本発明の遊技機の回転表示装置は上記構成としたので、接続配線のねじれや断線トラブル等を起こすことなく、回転体に設けられた表示情報を簡単な構造により照明して表示することができる。
【図面の簡単な説明】
【図１】本発明の一実施形態に係る回転表示装置を示した上方から見た水平断面図である。
【図２】本発明の一実施形態に係る回転体の正面図であり、（Ａ）は回転体の回転による図柄の回転動作を示し、（Ｂ）は回転体の回転による図柄のスクロール動作を示す。
【符号の説明】
１０　　　　回転表示装置
２４　　　　固定歯車（第２支持手段）
２６　　　　照明取付基台（照明手段取付部材）
３０　　　　固定軸（第２支持手段／支持部）
３２　　　　基台本体（照明手段取付部材／取付部）
３４　　　　固定軸（照明手段取付部材／筒部）
３６　　　　回転体支持部材（第１支持手段）
３８　　　　支持アーム（第１支持手段）
４０　　　　軸（第１支持手段／被支持部）
４６　　　　回転体
４８　　　　回転軸（第１支持手段）
５４　　　　図柄（表示情報）
６４　　　　ＬＥＤ（照明手段）
６６　　　　ＬＥＤ基板（照明手段）
６８　　　　配線（接続配線）
Ｈ　　　　軸線（第１回転軸線）
Ｖ　　　　軸線（第２回転軸線）
【図１】
2004129977.tif 000003
【図２】
2004129977.tif 000004